(57)【要約】　　　（修正有）【課題】比較的規模の小さい物であるが、多くの人に使ってもらいたいので宇宙船を皆様に提供する。【解決手段】宇宙船である。（従来のヘリコプターの羽はオオプンであるために、風の強い時は危険が大きい）其れで宇宙船のプロペラの羽を内蔵式にした事で風の強い時でも、この宇宙船は危険が小さい。この内蔵式を利用すれば、多種多用の乗物に内蔵式を採用すれば、皆様も宇宙を楽しむ事が出来る。効果は抜群で有る。燃料は、風車発電設備で、一度設備を建設すれば後はただにちかくなる。今の所バッテリイの重量が大であるが、その内バッテリイも小さくて、軽くパワアのあるバッテリイが出て来るであろう。この宇宙船は飛行機と違って、宇宙での飛行中景色の良い所で止まり、ゆっくり景色を見ながら、飛行する事も出来る。【選択図】図１
2004001664.tif 000002
【特許請求の範囲】
【請求項１】
宇宙船．の中央にエレベイターを取り付け位置を設ける、その外側にプロペラの羽を回すモウタアーを取り付け位置を設ける、それわ本体の円周で有る、その外側にハグルマを取付けた円周の物を用いて、その円周の外側にプロペラの羽を取付ける、そのプロペラの羽の外側に又円周の物を用いて、それぞれのプロペ　　ララの羽を取付ける、羽がばらつかないためで有る、その又外側に円周の物を用いて固　　定定する、プロペラの羽が回る用にして固定する、その又外側に、機械室、バッテリイ室、ジェットエンジン室、操縦室、客室、などその他を設ける。
【請求項２】
宇宙船．の主力にプロペラの羽を用いる、内蔵式である、プロ　　ペペラの羽１６枚を１組として、６組を取付ける、１間おきに３組を右回りにする、後の３組を左回りにして、バランスを取り操縦する、動力は電気で、モウタアを使用ししたい、それと別に、ジエットエンジンを２機搭載する。
【請求項３】
宇宙船．の中央にエレベイターを取付ける、宇宙船に乗り込む時に下より乗り込み、屋上にも出る事が出来る、非常口を左右に４課所設けて、非常口からも乗り込む事が出来る。
【請求項４】
宇宙船．の左右にジャバラ方式で羽を取付けて船体の宇く力を増して、必要の時だけ羽を出す用にする、其の分前方に進む事になる。
【発明の詳細な説明】
【０００１】
【発明の属する技術分野】
本発明は、宇宙船で有る。例えば台風で合っても、プロペラの羽が、宇宙船内に有　　るるため風の影響はあまり無くて、宇宙に上がる事が出来る。
【０００２】
【発明が解決しようとする課題】
本発明は、宇宙船で有る。前．前からの思いが有り、宇宙戦艦やまと、の用に宇宙を自由に飛びたい、それでヘリコプターを改造する事で、宇宙に飛び立つ用に改造した、プロペラの羽を多久さん付ける事にした、其れと飛行機と違って、飛行中に景色の良い所で、皆さんに、今外を見て下さい、と言った具合で、宇宙で止まって景色を見る事が出来る、素晴らしい事で有る、この宇宙船を皆さんに提供する。
【０００３】
【課題を解決するための手段】
本発明は、宇宙船で有る。プロペラの羽を持ち居て、左回りと右回りをセットして其々の回転の早さを操縦して宇宙に上がる、排気の扉の角度を変えながら、前方に進　　むむ、其れに加える事、ジエットエンジン２機を使用する、其れに寄って倍増に成り前　　方方に進む、これわ画期的で有る。
【０００４】
【発明の実施態様】
以下、本発明の一実施例を図を参照して説明する。宇宙船はプロペラの羽を主とした物で有る。
１．エレベイターで有る。宇宙船に乗り込む為で有る。
２．エレベイター寄り外枠で有る。
３．モウタア取付け枠で有る。
４．本体で丸型の内枠で有る。（２．）〜（３．）を連結して取付ける。
５．モウタアに取付ける、ハグルマで有る。４箇所取付けてパワアアップする。
６．（４．）の外側の丸型で有る。丸型の外側にプロペラの羽を取付ける、丸型の内側に歯車をセットする、それでプロペラの羽を回す。
７．ベアリングで有る。（４．）本体の丸型と、（６．）の丸型との間にベアリン　　ググを使用する、直径３０ｍｍを使用する。
８．プロペラの羽を回す歯車で有る。
９．モウタアの真で有る。モウタアの真に歯車を取付ける。
１０．エレベイターの扉で有る。
１１．通路で有る。
１２．プロペラの羽で有る。１６枚羽を取付けたのを、１組として６組を取付ける。
１３．〜１４．は（６．）に丸型の外側に取付ける。
１５．〜１６．は（１８．）に回転する丸型に取付ける。
１７．控えで有る。プロペラの羽が長いので、中間に取付ける控えで有る。
１８．プロペラの羽の先のばらつきを、固定して回転する、その又外側に丸型の物を設けて、ベアリング方式で固定する、羽は回る用になる。
１９．仕切りで有る。プロペラの羽の回転をベアリング方式で固定する仕切。
２０．ベアリングの玉で有る。直径３０ｍｍを使用する。
２１．ベアリングの箱で有る。ベアリングがどこにも移動しない用にする。
２２．プロペラの羽取付け金具で有る。羽を手前と後に取付ける金具で有る。
２３．ベアリングで有る。モウタアのシャフト受けで、シャフトに歯車を取付けるので、保護するために使用する。
２４．モウタアで有る。モウタアのシャフトに歯車の付いたプウリイを取付ける。
２５．仕切りで有る。（４．）〜（２６．）まで仕切りで固定する。
２６．プロペラの羽の外側の円周で有る。（４．）の本体の丸型と（２６．）の外側の円周と仕切りを入れて固定する、其れを本体とする。其れに各種の物を取付ける。
２７．空気出口の開方扉で有る。扉を開閉の調節で前方に進む、扉に排気穴も付けて、その穴にフタも付けて、スライド方式にする。
２８．排気穴で有る。（２７．）の開方扉に排気穴を３箇所開けて、フタも付ける。
２９．フタで有る。（２８．）の排気穴を、フタで閉める、スライド方式にして、排気量の調節をする。
３０．宇宙船で有るが、宇宙船の部品で有る。宇力とか用途におをじて取付ける。
３１．宇宙船の羽で有る、飛行中に船体を宇かせるため、ジャバラ方式で羽を出す、船体が軽く成った分、前に進む事に成る。
【発明の効果】
請求項１記載の本発明は、宇宙船で有る。プロペラの羽を内蔵式にした事で、（従来のヘリコプターの羽はオオプンで有るため、風の強い時は危険が大きい）風の強い時でも、この宇宙船は危険が小さい、この内蔵式を利用すれば、多種多用の物を作り、宇宙を楽しむ事が出来る、効果は抜群で有る、西暦２００５〜６年頃までには、自家用の宇宙船が頭状する事であろう、これを皆さんに提供したい。
【図面の簡単な説明】
【図１】本発明の一実施例を示す。エレベイタとモウタア取付け位置で、内側円周の本体で有る、其の外側に歯車の付いた、円周の物を用いて、プロペラの羽取付ける。
【図２】本発明の一実施例を示す。モウチアとモウタアに取付ける歯車と、プロペラの羽取付け部分と、ベアリングの位置と、プロペラの羽先部分で有る。
【図３】本発明の一実施例を示す。プロペラの羽、平面図と、宇宙船立面図で有る。
【図４】本発明の一実施例を示す。プロペラの羽、立面図で１間置きに右回りと、左回りに設定する。
【図５】本発明の一実施例を示す。宇宙船、立面図で有る、プロペラの羽６組で有る、エレ　　ベベイタの止まる位置３箇所で有る、プロペラの羽が回ると風出口の、開方扉で有る。
【図６】本発明の一実施例を示す。宇宙船の羽で有る、ジャバラ方式で出し入れする。
【図１】
2004001664.tif 000003
【図２】
2004001664.tif 000004
【図３】
2004001664.tif 000005
【図４】
2004001664.tif 000006
【図５】
2004001664.tif 000007
【図６】
2004001664.tif 000008